(57)【要約】【課題】液体中の被吸着物の濃度毎に得られた圧電振動子の周波数の時系列データに基づいて、各濃度における被吸着物の吸着による周波数の変化データを、吸着開始点を揃えた状態で容易に一括して表示することができる感知装置を提供すること。【解決手段】主な構成としては、時系列データに被吸着物の吸着開始点を設定する手段と、被吸着物の吸着開始点を揃えた状態で前記時系列データにおける少なくとも周波数変化領域を合成して表示するように処理する編集部とからなる。前記被吸着物の吸着開始点を設定する手段としては、例えば表示部に表示された時系列データに対してオペレータがポインターを合わせてクリックすることによりその設定が行われるものであり、あるいは感知センサーに流体を供給したときに吸着開始信号を出力することによりその設定が行われるものである。【選択図】図１１
2008249703.tif 000002
【特許請求の範囲】
【請求項１】
被吸着物の吸着により固有振動数が変わる感知用の圧電振動子が設けられた感知センサーと、
前記圧電振動子を発振させるための発振回路と、
前記圧電振動子に供給される流体中の被吸着物の濃度毎に得られた圧電振動子の周波数の時系列データを表示する表示部と、
この時系列データに被吸着物の吸着開始点を設定する手段と、
被吸着物の吸着開始点を揃えた状態で前記時系列データにおける少なくとも周波数変化領域を合成して表示するように処理する編集部と、を備えたことを特徴とする感知装置。
【請求項２】
液体中の被吸着物の濃度毎に得られた圧電振動子の周波数の時系列データは互いに異なる頁に表示されることを特徴とする請求項１記載の感知装置。
【請求項３】
前記被吸着物の吸着開始点を設定する手段は、表示部に表示された時系列データに対してオペレータがポインターを合わせてクリックすることによりその設定が行われるものであることを特徴とする請求項１または２に記載の感知装置。
【請求項４】
前記被吸着物の吸着開始点を設定する手段は、感知センサーに流体を供給したときに自動でその設定が行われるものであることを特徴とする請求項１または２に記載の感知装置。
【請求項５】
前記被吸着物の吸着開始点を設定する手段は、作業者により操作されるスイッチであることを特徴とする請求項４に記載の感知装置。
【請求項６】
被吸着物の吸着により固有振動数が変わる感知用の圧電振動子が設けられた感知センサーと、
前記圧電振動子を発振させるための発振回路と、
前記圧電振動子に供給される流体中の被吸着物の濃度毎に得られた圧電振動子の周波数の時系列データを取得する手段と、
この時系列データに被吸着物の吸着開始点を設定する手段と、
被吸着物の吸着開始点を揃えた状態で前記時系列データにおける少なくとも周波数変化領域を合成して表示するように処理する編集部と、を備えたことを特徴とする感知装置。
【発明の詳細な説明】
【技術分野】
【０００１】
本発明は、被吸着物の吸着により固有振動数が変わる圧電振動子を用いた感知装置に係り、特に被吸着物の濃度毎に取得した圧電振動子の周波数変化を一括して表示する技術に関する。
【背景技術】
【０００２】
バイオ関連の感知装置に用いられる水晶振動子は、図１７に示すように水晶片１０１の表面に形成された膜状の励振電極１０２の上に、抗原を抗原抗体反応により捕捉する抗体１０３を吸着層として形成し、さらに抗体１０３の隙間にブロッキング用の物質（ブロック体１０４）例えばタンパク質を吸着させている。そして抗原１０５を吸着層に吸着させるとその抗原１０５の吸着量に応じて水晶振動子の固有振動数が変化する。
【０００３】
このような水晶振動子の作製方法について簡単に述べると、水晶振動子を底部に備えた水晶センサ内に緩衝溶液を供給し、次いで所定量の抗体１０３を含む溶液を前記水晶センサ内に供給することにより抗体１０３を励振電極１０２の表面に吸着させる。次にこの状態で所定量のブロック体１０４を含む溶液を前記水晶センサ内に注入することによりブロック体１０４を励振電極１０２の表面に吸着させる。ブロック体１０４を励振電極１０２に吸着させておく理由は、抗原が励振電極１０２の表面に吸着されないようにし、抗原の捕捉量と周波数との対応関係の精度を確保するためである。この水晶センサの作製時における水晶振動子の周波数変化及び作製後の水晶センサを用いた計測時の周波数変化を順番に示すと図１８のようになる。
【０００４】
上述した水晶センサの作製段階において、抗体１０３の濃度をどのくらいにしたら水晶振動子の周波数がどのくらい下がるのかを知る必要がある。そこで溶液中の抗体１０３の濃度毎に取得した水晶振動子の周波数の時系列データを一画面に表示させると便利である。また作製後の水晶センサの計測段階においても抗原１０５の濃度をどのくらいにしたら水晶振動子の周波数がどのくらい下がるのかを知る必要がある。この場合も同様に溶液中の抗原１０５の濃度毎に取得した水晶振動子の周波数の時系列データを一画面に表示させると便利である。しかしながら、濃度毎に取得した各画面の時系列データから吸着開始から吸着終了までの周波数変化量（Δｆ）だけを抜き取って一画面にデータを編集する作業は手間と時間がかかり作業者にとって非常に面倒であるといった問題がある。  
一方、特許文献１には、バイオセンサーによる試料濃度測定を行う試料分析装置において、試料濃度の測定結果をパーソナルコンピュータ内に入力し、当該入力したデータを前記コンピュータによって種々の統計処理を行うことが記載されているが、この統計処理の具体的な手法については何ら記載されていない。
【０００５】
【特許文献１】特開平５−２０９８６１（段落０００８、図１）
【発明の開示】
【発明が解決しようとする課題】
【０００６】
本発明はかかる事情に鑑みてなされたものであって、その目的は、液体中の被吸着物の濃度毎に得られた圧電振動子の周波数の時系列データに基づいて、各濃度における被吸着物の吸着による周波数の変化データを、吸着開始点を揃えた状態で容易に一括して表示することができる感知装置を提供することにある。
【課題を解決するための手段】
【０００７】
本発明の感知装置は、被吸着物の吸着により固有振動数が変わる感知用の圧電振動子が設けられた感知センサと、前記圧電振動子を発振させるための発振回路と、前記圧電振動子に供給される流体中の被吸着物の濃度毎に得られた圧電振動子の周波数の時系列データを表示する表示部と、この時系列データに被吸着物の吸着開始点を設定する手段と、被吸着物の吸着開始点を揃えた状態で前記時系列データにおける少なくとも周波数変化領域を合成して表示するように処理する編集部と、を備えたことを特徴とする。  
上述した感知装置において、液体中の被吸着物の濃度毎に得られた圧電振動子の周波数の時系列データは互いに異なる頁に表示される構成とすることが好ましい。また前記被吸着物の吸着開始点を設定する手段は、例えば表示部に表示された時系列データに対してオペレータがポインターを合わせてクリックすることによりその設定が行われるものとしてもよいし、感知センサに流体を供給したときに吸着開始点の設定が行われるものとしてもよい。また前記吸着開始点を設定する手段は、例えば作業者により操作されるスイッチである。
吸着開始点の設定が感知センサに流体を供給したときに自動で行われる場合や、作業者によるスイッチの操作により行われる場合には、被吸着物の濃度毎に得られた圧電振動子の周波数の時系列データを表示しなくてもよい。この場合の発明は、次のように構成される。
他の発明は、被吸着物の吸着により固有振動数が変わる感知用の圧電振動子が設けられた感知センサーと、
前記圧電振動子を発振させるための発振回路と、
前記圧電振動子に供給される流体中の被吸着物の濃度毎に得られた圧電振動子の周波数の時系列データを取得する手段と、
この時系列データに被吸着物の吸着開始点を設定する手段と、
被吸着物の吸着開始点を揃えた状態で前記時系列データにおける少なくとも周波数変化領域を合成して表示するように処理する編集部と、を備えたことを特徴とする。
【発明の効果】
【０００８】
本発明は、例えば圧電振動子に予め吸着する抗体や、抗体に捕捉させる抗原といった製作段階あるいは計測段階における被吸着物の濃度毎に取得した圧電振動子の周波数の時系列データに吸着開始点を設定し、この吸着開始点を基準にしてこれらの時系列データを重ね合わせた合成データを表示するようにしているので、例えば圧電振動子に吸着する被吸着物の濃度と周波数との変化の対応や被吸着物の最大吸着量を容易に求めることができるなど、感知センサの製作段階あるいは計測段階において非常に便利である。
【発明を実施するための最良の形態】
【０００９】
本発明の実施の形態について説明する。図１中の２は感知装置であり、この感知装置２は複数例えば８個の水晶センサ２０と、これら水晶センサ２０が着脱自在に装着される発振回路３１を備えた測定器本体３と、前記測定器本体３に接続されるコンピュータ端末機４とから構成される。
【００１０】
前記水晶センサ２０は、図１及び図２に示すように配線基板であるプリント基板２１の上にゴムシート２２を重ね、このゴムシート２２に設けられた凹部２３を塞ぐように圧電振動子である水晶振動子２４が設けられ、更にゴムシート２２の上から上蓋ケース２５を装着して構成されている。上蓋ケース２５には、試料溶液の注入口２５ａと試料溶液の観察口２５ｂとが形成され、注入口２５ａから試料溶液が注入され、水晶振動子２４の上面側の空間に試料溶液が満たされることになる。水晶振動子２４の下面側は前記凹部２３により気密空間とされ、これによってランジュバン型の水晶センサが構成されることになる。
【００１１】
前記水晶振動子２４は、図３に示すように例えば円形の水晶片２０の両面に夫々電極２４ａ、２４ｂ（裏面側の電極２４ｂは表面側の周縁部に連続形成されている）が設けられている。また従来技術の項で図１７を用いて説明したように表面側の電極２４ａの上には、抗原を抗原抗体反応により捕捉する抗体が吸着層として形成されており、さらに抗体の隙間にはブロッキング用の物質（ブロック体）例えばタンパク質を吸着させている。前記電極２４ａ，２４ｂは導電性接着剤２６を介して基板２１に設けられている一対の導電路であるプリント配線２７ａ，２７ｂに夫々電気的に接続されている。  
図４は、前記感知装置２のブロック図である。このブロック図において測定器本体３に装着される８個の水晶センサ２０は便宜上Ｆ１〜Ｆ８の番号を付して示している。水晶センサＦ１〜Ｆ８は、試料溶液中の被吸着物である抗原を電極２４ａの表面に形成された吸着層に吸着させることによって周波数の変化を検知する感知センサとして用いられる。
【００１２】
次に測定器本体３について説明する。測定器本体３は、図４に示すように水晶センサＦ１〜Ｆ８を夫々発振させるための発振回路３２を備えており、図１に示すその差込口に水晶センサＦ１〜Ｆ８が差込まれることにより、差込口に設けられた図示しない端子部と水晶センサＦ１〜Ｆ８のプリント配線２７ａ，２７ｂとが電気的に接続される。これにより水晶センサＦ１〜Ｆ８が各発振回路３２と電気的に接続され、各水晶振動子２０が発振する。そして各水晶センサＦ１〜Ｆ８の周波数信号が、測定回路部４２へと出力される。この測定回路部４２は、この例では発振回路３２からの入力信号である周波数信号をアナログ／ディジタル変換（Ａ／Ｄ変換）し、そのディジタル信号に対してある信号処理を行うことにより周波数を検出している。各水晶センサＦ１〜Ｆ８の周波数信号を処理して水晶振動子の主モードの周波数を計測する手法としては、例えば特開２００６-２５８７８７号公報に記載されている手法を採用することができるが、例えば発振回路からの周波数信号を分周し、分周された周波数信号に対応するパルス信号を作成し、このパルス信号のパルスをパルスカウンタによりカウントするようにしてもよい。
また測定回路部４２の前段には、各水晶センサＦ１〜Ｆ８に対応する発振回路３２からの出力信号を順番に取り込むためのスイッチ部４１が設けられている。
【００１３】
次にコンピュータ端末機４について説明する。コンピュータ端末機４は、図４に示すようにデータバス４３を備えており、このデータバス４３には第１の記憶部４４、第２の記憶部４５、周波数情報作成プログラム５１、編集部５２、既述の測定回路部４２、ＣＰＵ（中央演算処理ユニット）４６、モニタ等の表示部４７及びキーボート等の入力手段４８が接続されている。  
前記周波数情報作成プログラム５１は、測定回路部４２から出力される信号に基づいて水晶センサＦ１〜Ｆ８の発振周波数についての時系列データを取得し、そのデータを表示部４７に表示することができるように構成されている。前記編集部５２は、時系列データに設定された吸着開始点を基準にして重ね合わせて合成データを取得し、その合成データを表示部４７に表示するなどの機能を有している。前記第１の記憶部４４は、周波数情報作成プログラム５１により取得した水晶センサＦ１〜Ｆ８の周波数の時系列データを保存する。前記第２の記憶部４５は、編集部５２により取得した合成データを保存する。
【００１４】
次にこのように構成された感知装置２の作用について図５及び図８に示すフロー図を参照しながら説明する。先ず、図１に示すように水晶センサＦ１〜Ｆ８を測定器本体３の差込口に差し込む。これにより各チャンネルの発振回路３２が発振する。また各チャンネルの発振回路３２の発振に伴って、コンピュータ端末機４の表示部４７には各水晶センサＦ１〜Ｆ８に夫々対応した８つの測定ページのタグが表示される。次にコンピュータ端末機４の入力手段４８によって例えば測定ページ１のタグを選択し、水晶センサＦ１を用いた周波数測定を行う（ステップ１０）。この周波数測定について図６を用いて説明すると、先ず、水晶センサＦ１の注入口２５ａに緩衝溶液を所定量例えば０．０５ｍｌ注入する。これにより水晶振動子２４の環境雰囲気が気相から液相に変わり、それに伴って水晶振動子２４の発振周波数が低くなる。次に水晶センサＦ１の注入口２５ａに抗原例えばダイオキシンが０．０１μｇ／ｍｌ含まれている試料溶液を所定量例えば０．０５ｍｌ注入する。前記ダイオキシンは抗ダイオキシン抗体による選択的な分子捕捉により水晶振動子２４の表面の吸着層に捕獲され、図６に示すようにその吸着量に応じて水晶振動子２４の発振周波数がΔｆ１だけ変化する。この図６に示す水晶センサＦ１の周波数の時系列データは測定ページ１に表示される（ステップ１１）。続いて水晶センサＦ１における周波数測定が完了した後（ステップ１２）、水晶センサＦ１の周波数の時系列データを第１の記憶部４４に保存する（ステップ１３）。
【００１５】
次にコンピュータ端末機４の入力手段４８によって例えば測定ページ２のタグを選択し、水晶センサＦ２を用いた周波数測定を行う（ステップ１４）。この周波数測定についてはダイオキシンの濃度を０．０５μｇ／ｍｌとした他は上述と同様の手順で行っている。この周波数測定では図７に示すように水晶振動子２４の発振周波数がΔｆ２だけ変化している。この図７に示す水晶センサＦ２の発振周波数の時系列データは測定ページ２に表示される（ステップ１５）。続いて水晶センサＦ２における周波数測定が完了した後（ステップ１６）、水晶センサＦ２の周波数の時系列データを第１の記憶部４４に保存する（ステップＳ１７）。なお、水晶センサＦ３〜Ｆ８についても同様にダイオキシンの濃度を水晶センサ毎に変えて周波数測定を行い、各水晶センサＦ３〜Ｆ８の周波数の時系列データを取得しているが、この実施の形態では便宜上水晶センサＦ１及び水晶センサＦ２の周波数の時系列データのみ取得し、次の時系列データに吸着開始点を設定するステップに進むものとする。
【００１６】
次に、第１の記憶部４４に保存されている時系列データにおいて、当該時系列データに吸着開始点が設定される。先ず、測定ページ１を表示部４７に表示させ、この測定ページ１に第１の記憶部４４に保存されている水晶センサＦ１の時系列データ（以下、時系列データ１とする。）を表示させる（ステップ２０）。次に、図９に示すように水晶センサＦ１の周波数の時系列データ１において、試料溶液中の抗原が水晶振動子２４の表面の吸着層に捕獲されることによって水晶センサＦ１の発振周波数が下がり始める箇所に、オペレータがコンピュータ端末機４の入力手段４８によって、表示部４７に表示されているポインターＰを合わせてクリックする。これにより、クリックした箇所に吸着開始点Ｓが付される（ステップ２１）。また時系列データ１に吸着開始点Ｓが設定されることに伴って、その吸着開始点Ｓが付されたポイントが周波数及び時間の基準点となり、例えば時系列データ１におけるこの基準点の周波数を便宜上０Ｈｚとして取り扱い、時間がゼロとなるように設定される。このように吸着開始点Ｓが付されたポイントの周波数を「０Ｈｚ」として取り扱うことで、後述する合成データにおいて抗原の濃度毎に取得した水晶振動子２４の周波数変化を見易くしている。この吸着開始点Ｓが設定された時系列データ１は、第１の記憶部４４に保存される。
【００１７】
次に、測定ページ２を表示部４７に表示させ、この測定ページ２に第１の記憶部４４に保存されている水晶センサＦ２の時系列データ（以下、時系列データ２とする。）を表示させる（ステップ２２）。続いて図１０に示すように試料溶液中の抗原が水晶振動子２４の表面の吸着層に捕獲されることによって水晶センサＦ２の発振周波数が下がり始める箇所に上述と同様にして吸着開始点Ｓを設定し、吸着開始点Ｓが付されたポイントの周波数を「０Ｈｚ」にする（ステップ２３）。この吸着開始点Ｓが設定された時系列データ２は、第１の記憶部４４に保存される。  
続いて、表示部４７に表示されている「データ合成」のボタンをポインターＰでクリックすることで、上述した編集部５２により時系列データ１，２に設定された吸着開始点Ｓを基準にして時系列データ１と時系列データ２との重ね合わせが行われ、しかる後、図１１に示すように表示部４７に吸着開始点Ｓを基準にして時系列データ１と時系列データ２とを重ね合わせた合成データが表示される（ステップ２４）。そしてこの合成データは第２の記憶部４５に保存される（ステップ２５）。
【００１８】
図１２は、実際に水晶センサＦ１〜Ｆ８について周波数測定を行い、各水晶センサＦ１〜Ｆ８の周波数の時系列データに吸着開始点Ｓを設定し、この吸着開始点Ｓを基準にしてこれらの時系列データを重ね合わせた合成データを表示したものである。図１２に示す合成データは、吸着開始点Ｓを備えた状態で時系列データにおける周波数変化領域のみを合成したものである。ここで図１２に示す合成データについて説明すると、水晶センサ２０内の緩衝溶液に注入する抗体の濃度を徐々に高くすることによって吸着開始点Ｓからの周波数変化量Δｆが徐々に大きくなっているのが分かる。また水晶センサＦ７と水晶センサＦ８は吸着開始点Ｓからの周波数変化量Δｆ７が同じであることから、水晶センサＦ７に用いた試料液に含まれるダイオキシンの濃度が水晶振動子２４の表面の吸着層に吸着できるダイオキシンの最大吸着量であることが分かる。
【００１９】
上述の実施の形態によれば、抗原この例ではダイオキシンの濃度毎に取得した水晶振動子２４の周波数の時系列データに吸着開始点Ｓを設定し、この吸着開始点Ｓを基準にしてこれらの時系列データを重ね合わせた合成データを表示部４７に表示するようにしている。このため水晶振動子２４の表面の吸着層に吸着するダイオキシンの濃度と周波数との変化の対応やダイオキシンの最大吸着量を容易に求めることができ、非常に便利である。
【００２０】
また本発明の適用例として従来既述の項で図１８を用いて説明したように水晶センサ２０の作製段階についても同様に抗体あるいはブロック体の濃度毎に取得した水晶振動子２４の周波数の時系列データに吸着開始点Ｓを設定し、この吸着開始点Ｓを基準にしてこれらの時系列データを重ね合わせた合成データを表示部４７に表示してもよい。この場合、水晶振動子２４の一方の電極表面に吸着する抗体あるいはブロック体の濃度と周波数との変化の対応や抗体あるいはブロック体の最大吸着量を求めることができる。
【００２１】
本発明の他の実施の形態について説明する。この形態では、図１３に示すように測定器本体３に押しボタン式のスイッチ部６が設けられ、このスイッチ部６をオンにすることで「オン」信号がコンピュータ端末機４に入力されるように構成される。図１４に示すようにコンピュータ端末機４のデータバス４３に吸着開始点設定プログラム６１が接続されている他は、図１〜図１２を用いて説明した感知装置２と全く同じ構成にある。なお、図１４中の１０１は抵抗である。この例においては、例えば水晶センサＦ１の注入口２５ａに抗原が含まれている試料溶液を例えば電動ピペットで注入すると同時に、作業者がスイッチ部６のボタンを押すことで図１５に示すように水晶センサＦ１の水晶振動子２４の周波数の時系列データに抗原の吸着開始点Ｓが設定される。この吸着開始点Ｓの設定は、作業者がスイッチ部６のスイッチを押すことで吸着開始点設定プログラム６１より吸着開始信号が出力されることで行われる。従って編集部５２は、こうして設定された吸着開始点Ｓを基準に各時系列データを合成することになる。このような構成にすることにより、取得した時系列データにおいて抗原の付着開始点Ｓが分かる。従って各ページ毎にオペレータが発振周波数の下がり始める箇所にポインターＰを合わせてクリックする手間が省けるという利点がある。
【００２２】
また上述した測定器本体３では図１及び図１３に示すように８つの水晶センサＦ１〜Ｆ８を備え、これら８つの水晶センサＦ１〜Ｆ８について周波数測定を行う構成となっているが、図１６に示すように発振回路３２及び測定回路部４２を備えた測定器本体７に水晶振動子２４を備えたセル７０を電気的に接続し、当該セル７０に緩衝溶液供給部７２と抗原含有溶液供給部７３とを接続した構成としてもよい。緩衝溶液供給部７２は緩衝溶液が貯留された容器、及びこの容器に接続された配管中に設けられたポンプなどが含まれる。また抗原含有溶液供給部７３は、抗原含有溶液が貯留された容器、及びこの容器に接続された配管中に設けられたポンプなどが含まれる。ポンプとしては、例えば配管に分岐して接続されるシリンダと、このシリンダ内に液を吸引し、また当該液を押し出す作動部とを備えたサックバックバルブなどと呼ばれているポンプを用いることができるが、一般的な液供給ポンプを用いてもよい。
【００２３】
図１６中、Ｖ１、Ｖ２、Ｖ３はバルブである。緩衝溶液供給部７２及び抗原含有溶液部７３の各ポンプ、バルブＶ１、Ｖ２、Ｖ３は、制御部であるコンピュータ端末機４からの制御信号により制御される。このような構成では、周波数測定は次のようにして行われる。先ずバルブＶ２を閉じ、バルブＶ１，Ｖ３を開き、緩衝溶液供給部７２のポンプを駆動してセル７０内に緩衝溶液を所定量注入する。次にバルブＶ１を閉じ、Ｖ２を開いて抗原含有溶液供給部７３からセル７０内に、抗原の濃度を調整した抗原含有溶液を所定量注入する。そして水晶振動子２４における周波数測定が完了した後、セル７０内の排水を行い、同様の手順で抗原の濃度を変えて次の周波数測定が行われる。セル７０内の排水は、例えばセル７０に設けた図示しないバルブを開いて大気開放すると共にバルブＶ３を開くことにより行われる。
【００２４】
この構成においては、前記コンピュータ端末機４から緩衝溶液供給部７２及び抗原含有溶液供給部７３の各ポンプの駆動信号が出力された時点から少し遅れた時点にてコンピュータ端末機４にて吸着開始点Ｓが自動出力される。少し遅れた時点とは、ポンプが駆動されてから液がセル７０内に行き渡るまでの時間を考慮して決められる。吸着開始点Ｓの出力は、図１４に示した吸着開始点設定プログラム６１がポンプ駆動信号の出力を把握し、その把握に基づいて行われる。このような手法によれば測定作業が簡便となる。
なお吸着開始点の設定が感知センサに流体を供給したときに自動で行われる場合や、作業者によるスイッチの操作により行われる場合には、被吸着物の濃度毎に得られた圧電振動子の周波数の個々の時系列データは必ずしも表示しなくてもよい。
【図面の簡単な説明】
【００２５】
【図１】本発明の実施の形態に係る感知装置の全体構成図である。
【図２】前記感知装置を構成する水晶センサの縦側面図である。
【図３】前記水晶センサを構成する水晶振動子の説明図である。
【図４】前記感知装置の構成を示すブロック図である。
【図５】前記感知装置により測定を行う手順を示すフローチャートである。
【図６】前記感知装置により得られた時系列データのグラフ図である。
【図７】前記感知装置により得られた時系列データのグラフ図である。
【図８】前記感知装置により測定を行う手順を示すフローチャートである。
【図９】吸着開始点が設定された時系列データのグラフ図である。
【図１０】吸着開始点が設定された時系列データのグラフ図である。
【図１１】時系列データに設定された吸着開始点を基準にして重ね合わせた合成データのグラフ図である。
【図１２】時系列データに設定された吸着開始点を基準にして重ね合わせた合成データのグラフ図である。
【図１３】本発明の他の実施の形態に係る感知装置の全体構成図である。
【図１４】前記感知装置の構成を示すブロック図である。
【図１５】前記感知装置により得られた時系列データのグラフ図である。
【図１６】本発明の他の実施の形態に係る感知装置の全体構成を示すブロック図である。
【図１７】従来の水晶センサを示す説明図である。
【図１８】前記水晶センサの作製時における水晶振動子の周波数変化及び作製後の水晶センサを用いた計測時の周波数変化を示すグラフ図である。
【符号の説明】
【００２６】
Ｆ    付着開始点
Ｐ    ポインター
２    感知装置
２０  水晶センサ
２４  水晶振動子
３    測定器本体
３２  発振回路
４    コンピュータ端末機
４２  測定回路部
４４  第１の記憶部
４５  第２の記憶部
４７  表示部
４８  入力手段
５１  周波数情報作成プログラム
５２  編集部
【図１】
2008249703.tif 000003
【図２】
2008249703.tif 000004
【図３】
2008249703.tif 000005
【図４】
2008249703.tif 000006
【図５】
2008249703.tif 000007
【図６】
2008249703.tif 000008
【図７】
2008249703.tif 000009
【図８】
2008249703.tif 000010
【図９】
2008249703.tif 000011
【図１０】
2008249703.tif 000012
【図１１】
2008249703.tif 000013
【図１２】
2008249703.tif 000014
【図１３】
2008249703.tif 000015
【図１４】
2008249703.tif 000016
【図１５】
2008249703.tif 000017
【図１６】
2008249703.tif 000018
【図１７】
2008249703.tif 000019
【図１８】
2008249703.tif 000020